(57)【要約】【課題】パチンコ台をパチンコ島に取り付けるにあたり、パチンコ台の装着枠の上部の取り付けが緩みやガタ付きのないようにし、装着枠の種類が変わっても取り付けができるようにする。【解決手段】パチンコ台の装着枠の上部取り付装置が、パチンコ島に固定した基材に着脱自在としたバネ材の腕板で装着枠の前縁を取付の基準位置として装着枠を挟んで取り付けができるようにした。また、装着枠の前縁に取り付けにあたって障害物があっても、腕板の取り付け位置が変えられるようにした。【選択図】図８
2012005799.tif 000002
【特許請求の範囲】
【請求項１】
パチンコ島に固定する取り付け部を備えた基材と、軸の向きをパチンコ島の前面方向として基材に回転自在に横架した傾き調整螺子と、傾き調整螺子に螺合し、且つ、回転を規制された移動部材と、移動部材は螺合した傾き調整螺子の下方に螺子の軸方向に揺動し、さらにパチンコ島の前面方向への揺動を制限する掛止部を備えた揺動板を枢支するとともに、先端を装着枠の後縁に当接する押し螺子を螺合し、揺動板は揺動下端に傾き調整螺子と直行する向きで支点軸を備え、この支点軸よりパチンコ島の後方偏芯個所に押圧部を一体に形成してなり、支点軸には先端に装着枠の前縁に当接するＬ型の前進規制部を形成し、後端には揺動板の押圧部の下面に係合する係合部を備えた腕板の胴部を枢支し、腕板は開放状態でこの枢支部を支点として、後端の係合部が揺動板の押圧部に上昇を規制されて先端のＬ型の前進規制部が降下した姿勢で待機し、装着枠の取り付けにおいては、腕板の先端を押し上げて装着枠の前縁と後縁を前進規制部と押し螺子で挟持し、押し螺子を回して装着枠の後縁を押圧し腕板の先端を取り付け位置の基準として装着枠を取り付けると、揺動板の下端が掛止部で制限されるまでパチンコ島の前面方向へ揺動して押圧部が腕板の係合部を押し下げ、腕板は枢支部を支点として先端が押し上げられて装着枠との外れ防止が行われることを特徴とするパチンコ台の上部取り付け装置。
【請求項２】
揺動板は移動部材との枢支個所に長穴を縦向きに穿設し、移動部材はこの長穴に枢軸を挿入して揺動板を上下方向に移動自在として枢支したことを特徴とする請求項１に記載のパチンコ台の上部取り付け装置。
【請求項３】
腕板はバネ材で構成し、枢支部から先端方向の胴部個所を装着枠の下面方向に曲折して腕板の外れ防止を計ったことを特徴とする請求項１に記載のパチンコ台の上部取り付け装置。
【請求項４】
腕板はバネ材で構成し、先端のＬ型の前進規制部を装着枠の前縁向きに傾斜させて腕板の外れ防止を計ったことを特徴とする請求項１に記載のパチンコ台の上部取り付け装置。
【請求項５】
腕板の枢支部は鈎状として、揺動板の支点軸に着脱自在に取り付けたことを特徴とする請求項１に記載のパチンコ台の上部取り付け装置。
【請求項６】
揺動板の支点軸は揺動板の右側もしくは左側に突出する長さとし、この突出個所に腕板の枢支部を掛合して、腕板が揺動板の右側もしくは左側に自在に取り付け位置を替えられようにしたことを特徴とする請求項１および請求項５に記載のパチンコ台の上部取付装置。
【請求項７】
基材は傾き調整螺子の両側に立設した案内壁を備え、この案内壁の内側に傾き調整螺子に螺合した移動部材が摺動案内されるようにして移動部材の回転を規制し、且つ、左右の揺れを防止したことを特徴とした請求項１に記載のパチンコ台の上部取り付け装置。
【請求項８】
基材には傾き調整螺子の上方に並行して案内軸を横架し、この案内軸を移動部材に設けた案内穴に挿入して移動部材の移動案内をするとともに回転を規制し、且つ、移動部材の左右の揺れを防止したことを特徴とする請求項１に記載のパチンコ台の上部取付装置。
【発明の詳細な説明】
【技術分野】
【０００１】  この発明はパチンコ島（パチンコ台が並んで設置される構造物）にパチンコ台を取り付ける取り付ける装置において、特にパチンコ台の装着枠の上部を取り付ける装置に関する。
【背景技術】
【０００２】  パチンコ台は入替の度に旧台の取り外しと、次の台の取り付けが行われる。パチンコ台の取り付けは、先ず装着枠を取り付け、次いでこの装着枠にパチンコ台を開閉自在として取り付けることになるが、装着枠の取り付けを釘やビスで行わずにパチンコ島に事前に固定した取り付け装置で行う場合、以下の問題点がある為、特に上部の取り付け装置が肝要となる。【０００３】  １、パチンコ台は２０ｋｇ程度の重量物であり、これが装着枠の片側（正面左側）のヒンジ構造を支点として開閉するが、特にパチンコ台を開いた時に、装着枠の上部取り付け個所（上部の取り付け装置）に荷重がかかる。当該個所の取り付けが不安定の場合は、パチンコ台の上部が前後にガタついて、パチンコ台の所望の傾斜が維持できず、さらには施錠ができなくなる場合がある。
２、パチンコ台は正面左側を支点として開閉するので、同様に上部の取り付けが不安定であると、施錠側（正面右側）がズレたり降下して台の右端もしくは下側が島の縁に当たって閉まらなくなる場合がある。
３、パチンコ台は台上部に玉の補給タンクを備えており、上部が過重量である上に補給時の玉の落下振動で上部の取り付け個所が次第に緩んでくる場合がある。
４、パチンコ台は上部が後方へ傾いた所望の傾斜で取り付けられるが、台の入替の場合は、取り付け装置によって前の台と同じ傾斜に簡単に取り付けることができれば作業の簡易化及び傾斜の高精度化が計られる。
５、パチンコ島は、パチンコ台を載せている個所が台の高重量を原因として次第に降下するので、パチンコ台の上側（装着枠の上桟）と島の間の隙間が大きくなってくるので、上部の取り付け装置は隙間の大小に対応して取り付けができる必要がある。【０００４】  パチンコ台の取り付け装置を提案したものとしては、図４で示した特開２００９−１４８４８６と、図５で示した特開平１１−３３２００がある。【０００５】  前者は、島上部枠構造１に固定したスライドベース２のスライドボルト３を回すと、スライドタップ４を介してグリップベース５が台枠上板６側に移動する。台枠上板６の後縁をグリップベース５に当てて位置決めをする。この位置を基準位置として次の台の入替が行われる。台枠上板６の取り付けは、入替レバー７を下げてグリップアーム８で台枠上板６を咥えて取り付ける。台枠の厚みによってはラチェットボルト９を回して咥え力を調整する必要がある。また、Ｂは下部の取付装置を示している。【０００６】  後者は、パチンコ島１の上横部材１ａに島取付部１０によって固定した基材１１にパチンコ台の枠上部６の後縁を当てて位置決めをし、この前端に支持具１２の先端を位置させて保持機構１３によって支持具１２の外れ防止をして枠上部６を取り付ける。
【発明の開示】
【発明が解決しようとする課題】
【０００７】  上記の従来の取り付け装置は、以下の問題があった。
（１）前後者共パチンコ台の装着枠６の後縁を取り付け時の基準位置としているが、装着枠６の後縁は玉の補給の邪魔にならないように凹部が形成されており、この凹部の場所は一定では無く、また前後の幅も機種によって寸法が一定でないため、入替前と基準位置が変わる場合が多くその都度、グリップベース５もしくは基材１１を移動させる必要があり作業に手間がかかっていた。【０００８】  （２）また、パチンコ台の装着枠６への取り付け（台を閉じた状態）では、パチンコ台の背面を装着枠６の前縁に押し当てて、装着枠６の前縁を取り付け位置の基準（傾斜の基準）として施錠される。従って、装着枠６の島１への取り付けも装着枠６の前側を取り付けの基準位置とすれば装着枠６の材質（木製）の欠点であるヘコミや変形の影響を受けにくく、取り付け精度（台の傾き精度）が向上する。【０００９】  （３）前者では、装着枠６の厚みが変わったり凹みがあったりすると、咥え力の程度が変わるので、その都度にラチェットボルト９を回して調整する必要があった。また、装着枠６が金属製の場合はグリップアーム８の先端の食い込みができないのでパチンコ台は開閉でズレてガタつくものであった。また、入替レバー７の操作はスライドベース２の後端側で上下方向に力が加えられて行われるので、島とスライドベース２の取り付け個所に梃子の作用で力が加わり次第に取り付け緩んでガタつき、また、スライドベース２の後端が次第に下がってきてパチンコ台の内部装置と干渉する欠点があった。【００１０】  （４）後者では、支持具１２の軸方向（台の前後方向）の荷重（台の開閉時の荷重）で支持具１２の固定は緩み止めがないので前後方向にガタ付きが生じる。また、装着枠６の上桟と島１との隙間の大小によっては、支持具１２が取り付かない場合、もしくは支持具１２と装着枠６の下面との間にあそびが広すぎて支持具１２が外れ易いこととなり現実の現場事情に対応していない。【００１１】  （５）装着枠６の上桟の下側には、機種によってスイッチやセンサー等がついている場合がありこれらは取り付け時の障害となり、また、装着枠６の後縁は補給のための凹部の位置も多様であるので、パチンコ台の入替時にこれらの原因で取り付け装置を外したり、取り付け位置をかえたりする必要があった。【００１２】  （６）前者はグリップベース５がパチンコ台の正面より視て左右に揺れる構造であり、後者は島１と装着枠６の上桟との隙間が小さい場合、装着枠６の下側の支持具１２との間隔が大きくなり、共に装着枠の上部が左右に動くこととなる。このような装着枠６の上部が左右に揺れる構造の場合、前述のようにパチンコ台の下側が島１の縁に当たって閉まらなくなったり、施錠位置のズレによって施錠ができなくなる欠点があった。
【課題を解決するための手段】
【００１３】    この本発明は上記目的を達成するために、パチンコ島に固定する取り付け部を備えた基材と、軸の向きをパチンコ島の前面方向として基材に回転自在に横架した傾き調整螺子と、傾き調整螺子に螺合し、且つ、回転を規制された移動部材と、移動部材は螺合した傾き調整螺子の下方に螺子の軸方向に揺動し、さらにパチンコ島の前面方向への揺動を制限する掛止部を備えた揺動板を枢支するとともに、先端を装着枠の後縁に当接する押し螺子を螺合し、揺動板は揺動下端に傾き調整螺子と直行する向きで支点軸を備え、この支点軸よりパチンコ島の後方偏芯個所に押圧部を一体に形成してなり、支点軸には先端に装着枠の前縁に当接するＬ型の前進規制部を形成し、後端には揺動板の押圧部の下面に係合する係合部を備えた腕板の胴部を枢支し、腕板は開放状態でこの枢支部を支点として、後端の係合部が揺動板の押圧部に上昇を規制されて先端のＬ型の前進規制部が降下した姿勢で待機し、装着枠の取り付けにおいては、腕板の先端を押し上げて装着枠の前縁と後縁を前進規制部と押し螺子で挟持し、押し螺子を回して装着枠の後縁を押圧して腕板の先端を取り付けの基準位置として装着枠を取り付けると、揺動板の下端が掛止部で制限されるまでパチンコ島の前面方向へ揺動して押圧部が腕板の係合部を押し下げ、腕板は枢支部を支点として先端が押し上げられて装着枠との外れ防止が行われるようにしたものである。【００１４】  また、揺動板は移動部材との枢支個所に長穴を縦向きに穿設し、移動部材はこの長穴に枢軸を挿入して揺動板を上下方向に移動自在として枢支したものである。【００１５】  また、腕板はバネ材で構成し、枢支部から先端方向の胴部個所を装着枠の下面方向に曲折して腕板の外れ防止を計ったものである。【００１６】  また、腕板はバネ材で構成し、先端のＬ型の前進規制部を装着枠の前縁向きに傾斜させて腕板の外れ防止を計ったものである。【００１７】  また、腕板の枢支部は鈎状として、揺動板の支点軸に着脱自在に取り付けたものである。【００１８】  また、揺動板の支点軸は揺動板の右側もしくは左側に突出する長さとし、この突出個所に腕板の枢支部を掛合して、腕板が揺動板の右側もしくは左側に自在に取り付け位置を替えられようにしたものである。【００１９】  また、基材は傾き調整螺子の両側に立設した案内壁を備え、この案内壁の内側に傾き調整螺子に螺合した移動部材が摺動案内されるようにして移動部材の回転を規制し、且つ、左右の揺れを防止したものである。【００２０】  また、基材には傾き調整螺子の上方に並行して案内軸を横架し、この案内軸を移動部材に設けた案内穴に挿入して移動部材の移動案内をするとともに回転を規制し、且つ、移動部材の左右の揺れを防止したものである。
上記の課題解決手段による作用は次のとおりである。【００２１】  基材に横架した傾き調整螺子を回すと移動部材および押し螺子が軸方向に移動し、揺動板を介して腕板も同様に移動する。【００２２】  腕板は装着枠を開放した状態で、先端のＬ型の前進規制部が揺動板との枢支部を支点として降下するが、後端の係合部が揺動板の押圧部と係合してこの待機姿勢が保持される。【００２３】  装着枠を取り付ける場合、腕板の前進規制部と押し螺子の間に装着枠を入れ、腕板と揺動板を装着枠の下面に持ち上げるが、揺動板は長穴によって上下方向に移動できるので腕板も同様に装着板の下面に当たるまで持ち上げることができ、この時の前進規制部は入替前の位置と同じとなる。【００２４】  押し螺子を回して装着枠の後縁を前方に移動させると、装着枠の前縁が腕板の前進規制部を押し、揺動板の下端部を同様向きに傾け、掛止部が移動部材で傾きを制限されるまで後方の押圧部を押し下げて腕板の係合部を同様に押し下げるので、腕板は枢支部を支点として先端の前進規制部が押し上げられるので当該個所の外れが防止される。【００２５】  押し螺子を回して装着枠が取り付けられる時、腕板がバネ材であるため胴部の曲折個所が押し付け方向に引っ張られて、先端が装着枠の下面側を押し上げながら略水平となり、先端の前進規制部の脱落防止と押し螺子の緩み防止作用が営まれる。また、同様に腕板の先端のＬ型の前進規制部は、装着枠の前縁向きの傾斜から略垂直向きとなって装着枠の前縁を押し付けるので、上記と同様に緩み止め作用が営まれる。【００２６】  腕板はバネの材質や加工処理によって曲げの硬さが一定となるので、押し螺子を強く回すことで前進規制部が前側に曲がることはなく、装着枠の取り付け位置が影響を受けることはない。【００２７】  押しネジを緩めて腕板の前進規制部を待機姿勢に降下することで、装着枠を外すことができるが、腕板は揺動板との枢支部を鈎状として揺動板の支点軸に掛合しているので装着枠が外れた状態で着脱することができる。【００２８】  また、揺動板の支点軸は揺動板の左右外側に突出した長さで、且つ左右に移動できるので、腕板は鈎状の枢支部を左側もしくは右側に突出した支点軸の位置に付け替えができる。【００２９】  移動部材の上部は、基材に立設した案内壁に褶動して移動するので、この案内壁によって傾き調整螺子を中心とする回転が規制され、且つ移動方向と直交する左右の揺れが防止される。【００３０】  また、移動部材の上部は、傾き調整螺子と平行に設けられた案内軸で移動の案内をされるので、この案内軸によって傾き調整螺子を中心とする回転が規制され、且つ移動方向と直交する左右の揺れが防止される。
【発明の効果】
【００３１】  上述したように本発明のパチンコ台の取り付け装置は、装着枠を取り付ける時の基準位置（傾きの基準位置）を装着枠の前縁としたので入れ替え前と基準位置が変わることがなく、余計な操作をしなくとも前の台と同じ傾斜に簡単に取り付けでき、また基準位置がかわらないので取り付け後の傾きの設定精度も高くなる。【００３２】  腕板を装着枠の下面まで持ち上げて当てた状態で取り付けをおこなうので、島の下側と装着枠の上桟の隙間の大小によって取り付け状態が悪くなることがない。【００３３】  装着枠の取り付けにおいて、押し螺子の回転操作による揺動板の傾きで腕板の先端が装着枠の下面を押し上げるので、先端の前進規制部は落下して外れることがなく、これが揺動板のクサビ作用と腕板のバネの弾機作用で維持されるので、パチンコ台の開閉や玉の補給時の振動等の影響でパチンコ台の取り付けが緩んでガタ付いたりすることがない。【００３４】  装着枠の取り付けが枠の前後側で行われるため、枠の厚みの変化および枠の材質等に関係なく、押し螺子の回転操作のみで行え、腕板の胴部の曲折個所および先端のＬ型の前進規制部の傾斜によって押し螺子は取り付け後に緩むことがなく、パチンコ台を一定の傾きで維持できる。【００３５】  腕板は揺動板との枢支部を鈎状として揺動板の支点軸に掛合しているので、装着枠の種類によっては障害物が邪魔になる場合、腕板を取り外しできるので取り付け装置自体を外すような必要がない。【００３６】  揺動板の支点軸は揺動板の左右外側に移動できるので、取り外した腕板の取り付け位置を揺動板の左右側に変えて、障害物との干渉を避けることができる。【００３７】  移動部材の上部は、基材に立設した案内壁で左右の揺れが防止されているので、島に取り付けられた装着枠およびパチンコ台の上部が左右に傾くことがなく、パチンコ台が島にはまらなくなったり施錠ができなくなったりすることはない。また、パチンコ台の上部が左右に傾くと盤面の玉の入賞ステージも同様に傾き、玉の入賞確率が変化するので水平に維持しなければならずこれらの懸念も解消される。【００３８】  基材に上記の案内壁を設置せずに、移動部材上部に傾き調整螺子と平行に案内軸を設けても同様の効果がある。また、押し螺子を回転操作すると傾き調整螺子を支点として移動部材の下方が斜めに傾いて調整螺子との螺合が硬くなって動きが悪くなる恐れがあるが、この案内軸によって移動部材の傾きは防止される。
【発明を実施するための最良の形態】
【００３９】  以下、本発明の実施の形態を図１〜図１８に基づいて説明する。【００４０】  図１、図２で示したパチンコ島１は上横部材１４と下横部材と１５と縦部材１６とで区画１７を連続して形成し、区画１７内部の上下には、左右一対の上部取り付け装置１８、１８と下部取り付け装置Ｂが取り付けられており、この上下の取り付け装置で装着枠６を固定する。装着枠６にパチンコ台Ａを取り付ける場合、図３で示したように装着枠６に止着したヒンジ板２０、２０のピン２１、２１にパチンコ台Ａのヒンジ板２２、２２をヒンジ穴２３、２３を介して連結してパチンコ台Ａを開閉自在に取り付ける。営業にあたっては、島１に閉じてヒンジと反対側（パチンコ台の正面右側）を施錠する。【００４１】  装着枠６の下部取り付け装置Ｂは図６、図７で示したように、断面逆Ｕ型の基材２４は接地端部２５に取り付け穴２６が形成され、この取り付け穴２６にビス２７で島１の横部材１５に固定される。基材２４の内部にはナット取り付け具２８を介在して螺子２９でナット３０が装着している。ナット３０には、先端を径大とした位置決めボルト３１が螺合し、この位置決めボルト３１は先端を装着枠６の下桟６ｂの後退を規制し、位置決め後にナット３２で固定する。【００４２】  基材２４の前側は、装着枠６の導入空間を形成した取り付け部３３を一体で延長し、この取り付け部３３には装着枠６の上面を押圧して固定する押し螺子３４を螺合したナット３５が止着している。押し螺子３４は先端を径大とし、後端には６角の操作部３６が形成され、操作部３６をレンチ３７等で回転操作して、装着枠６を締め付けて固定、もしくは緩めて開放する。【００４３】  この発明の上部取り付け装置１８で利用する下部取り付け装置Ｂは、この実施例に限定することなく、従来の取付装置や、従来の取り付け手段であるビスや釘でも同様の作用が営まれるものであり、装着枠６の下桟６ｂを島１に取り付けできるものであればこれらに限定するものではない。【００４４】  装着枠６の上部取り付け装置１８は、図８、図９、図１０で示したように、基材３８は逆Ｕ型の上部基材３９とＺ型の下部基材４０の組み合わせで構成している。上部基材３９は下部基材４０の案内窓４１に挿入して径大な支持穴４２、４３をそれぞれ露出した状態で下部基材４０に固着している。下部基材４０の下端曲折部４４は水平に延長してビス穴４５を備えた取り付け部４６としている。上部基材３９の支持穴４２、４３には案内軸４７と傾き調整螺子４８を挿通し、案内軸４７は先端の径小な軸部４９を下部基材４０の支持穴５０に嵌入し、傾き調整螺子４８は同様にして先端の軸部５１を支持穴５２に回転自在に嵌入し、後端を支持穴４３より突出して回転部５３より連続した突出端に六角の操作部５４が設けられている。傾き調整螺子４８および案内軸４７は双方に形成した係止溝５５、５６に止め輪５７を止めて抜けないように取り付けられる。【００４５】  移動部材５８は、案内軸４７が挿通する案内穴５９と、傾き調整螺子４８が螺合する螺子穴６０と、押し螺子６１が螺合する螺子穴６２が形成されている。この移動部材５８は基材３８の案内窓４１内に配設され左右両側を案内窓４１の内側より連続して立ち上げた案内壁���４に係合している。押し螺子６１は径大な先端６５が基材３８の取り付け部４６側に望むようにして螺子穴６２に螺合し後端には傾き調整螺子４８と同様の操作部６６が形成されている。【００４６】  揺動板６８は、係止穴６９を備えた水平な押圧部７０から上方延長して取付板７１、７１を対向して立ち上げ、この取付板７１、７１には縦向きに長穴７２が形成されている。揺動板６８の取付板７１、７１は移動部材５８の外側で縦方向に褶動自在として、支点ピン７３を長穴７２および移動部材５８の軸穴７４に嵌入して移動部材５８に揺動自在に吊り下げられている。左右の取付板７１、７１の前縁には揺動板６８の下端部の前方向への揺動を制限する掛止部７５が移動部材５８と僅かの間隙を保って曲折形成されている。揺動板６８の下端部には後述の腕板７６を枢支する支点軸７７が支点穴７８に移動自在に設けられ、上記の押圧部７０はこの支点穴７８より後方に偏心した個所に位置している。【００４７】  腕板７６は、先端を立ち上げてＬ型の前進規制部７９を形成し、この先端から曲折部８０を介して連続した胴部８１には鈎状の枢支部８２を対向して設け、後端には枢支部８２より斜めに上昇して幅広の係合部８３を形成している。【００４８】  基材３８の取り付け部は、島１の前述の下側の取り付け部４６と島１の上側の取り付け部８４とで構成している。島１の上側の取り付け部８４は、逆Ｕ型で左右の下端に突起８５が形成され頂面８６には固定穴８７、左右側板８８には傾斜溝８９が設けられた取り付け部材９０と、基材３８の上部に溶接した固定ボルト９１とで構成される。取り付けにあたっては取り付け部材９０の固定穴８７に固定ボルト９１を挿入し、ワッシャー９２を介在してナット９３を締めて行う。この時、基材３８の前側の立上壁９４に傾斜溝８９が嵌合し傾斜溝８９から後方の左右側板９５が固定ボルト９１の両側に穿った切欠溝９６に係合する。【００４９】  この上部取り付け装置１８を島１に固定するには、島１の下側に取り付け部４６を配置して基材３８の前壁を島１の後縁に当てて、ビス穴４５によってビスＣで固定する。次いで、島１の上側に取り付け部材８４を配置し上記のようにナット９３を締めると、木製の島１の上面に突起８５８が食い込み、傾斜溝８９の後縁が立上壁９４を前方に押し、基材３８の後ろ端を持ち上げながら取り付けられる。この基材３８の取り付けにおいて基材３８は島１の上下より挟んで固定されることとなり、さらに基材３８の後ろ端が持ち上げられて取り付けられるので次位の装着枠６の取り付け操作で基材３８の後端が下がったり緩んだりすることがない。【００５０】  腕板７６は図１１で示したように前進規制部７９の先端を装着枠６の下面にあてて後端を下げた姿勢で枢支部８１の鈎状先端を揺動板６８の取付板７１、７１の内側で支点軸７７と押圧部７０の前端の間隙に差し込んで、図１２で示したよう揺動板６８に吊り下げる。この取り付けにあたっては揺動板６８の下端を押圧部７０方向に押して枢支部８２が押圧部７０と干渉せずに取り付けできるようする。腕板７６の枢支部８２は中心から後端側にあるので開放状態で先端を降下した姿勢となり係合部８３が押圧部７０で上昇を規制されて保持される。係合部８２の後端には係止爪９７が立上形成され、この係合状態で係止爪９７が押圧部７０の係止穴６９に嵌入して腕板７６の左右の揺れと外れを防止している。【００５１】  腕板７６は図１２で示した状態で待機して装着枠６の取り付けが行われるが、この待機姿勢で手で後方および下方に押しても外れることはなく、先端を持ち上げて取り付け手順と逆にすることで外すことができる。【００５２】  装着枠６を島１に取り付けるには、島１の区画１７内に装着枠６の上桟６ａを入れて下桟６ｂを下部取りけ付装置Ｂに配置して前述のように操作部３６をレンチ３７で回して固定し、次いで図１３で示したように上桟６ａを押し螺子６１の前側に臨ませ、腕板７６の前進規制部７９が装着枠６の前縁の前側に来るようにして腕板７６の上面が装着枠６の下面に当たるまで持ち上げると、揺動板６８も長穴７２の移動域の範囲で上昇する。この時の前進規制部７９はパチンコ台Ａの以前の入替時の位置、即ち装着枠６の取り付けの基準の位置となっている。この状態のままで押し螺子６１の操作部６６をレンチ等で回して押し螺子６１の先端で装着枠６を前進規制部７９まで押し付けて固定する。【００５３】  この押し螺子６１による装着枠６の取り付け操作時に、図８および図１４で示したように揺動板６８の下部は装着枠６の方向に引っ張られて押圧部７０を降下し係合部８３を押し下げて腕板７６の先端側および揺動板６８自体を押し上げる。揺動板６８の下端部は掛止部７５の上部が移動部材５８の前側を押圧して停止するまで移動する。この取り付け操作の過程で腕板７６の前進規制部７９が斜め向きから垂直になり、また胴部８１の曲折部８０が水平になって揺動板６８のクサビ作用とバネ材の弾力作用とで押し螺子６１は緩み防止が計られ、腕板７６も同様に装着枠６を堅個に固定する。【００５４】  上記のようにして装着枠６が島１に取り付いた状態で、装着枠６の前縁は入替前と同じ基準位置で取り付けられているので、この傾きも同様となる。必要によって傾きを変える場合もしくは台Ａの取り付け後に、盤面の傾きに合わせる場合は、図８で示したようにレンチ等で傾き調整螺子４８の操作部５４を回して行う。傾き調整螺子４８を回すと移動部材５８が前後方向に移動して装置にとりつけた装着枠６の上部が同様に移動して装着枠６およびパチンコ台Ａの傾きが変化する。【００５５】  移動部材５８はこの移動時には案内軸４７および案内壁６４に褶動案内されて、装着枠６の左右の揺れ防止が営まれる。また押し螺子６１の回転操作で移動部材５８と傾き調整螺子４８は斜めに螺合して動きが悪くなることになるが、上部の案内軸４７によって解消される。【００５６】  図１６、１７図は装着枠６の上桟６ａの腕板７６の装着箇所に障害物がある場合に腕板７６の位置を揺動板６８の左右に変えて取付ができるようにしている。揺動板６８の支点軸７７は径大の頭部７７ａと先端のナット７７ｂで左右の移動を制限され、揺動板６８の右側または左側に移動させて腕板７６の鈎状の枢支部８２が枢支される。この腕板７６の位置の変更に伴って係合部８３に設けた複数個の係止爪９７がその都度に押圧部７０の係止穴６９に嵌入して腕板７６の後端部の外れを防止する。【００５７】  図１８は取り付け部の���の実施例を示している。基材３８の上部には螺子穴９９を形成し、頭部１００を六角の操作部１０１とした取付ボルト１０２で取付部材８３を締め付けて島１に基材３８を固定する。
【図面の簡単な説明】
【００５８】
【図１】パチンコ台の取り付け状態を示すパチンコ島の正面図
【図２】図１のＡ−Ａ断面図
【図３】パチンコ台の装着枠への取り付け状態を示す分解斜視図
【図４】従来の取り付け装置を示す断面図
【図５】従来の取り付け装置を示す断面図
【図６】下部取り付け装置の斜視図
【図７】下部取り付け装置の装着枠の取り付け状態を示す断面図
【図８】上部取り付け装置の装着枠の取り付け状態を示す断面図
【図９】基材の分解斜視図
【図１０】上部取り付け取装置の分解斜視図
【図１１】腕板の取り付け状態を示す上部取り付け装置の断面図
【図１２】腕板の待機状態を示す上部取り付け装置の断面図
【図１３】腕板の持ち上げ状態を示す上部取り付け装置の断面図
【図１４】押し螺子の操作状態を示す上部取り付け装置の断面図
【図１５】図８のＣ−Ｃ断面図
【図１６】図８のＤ−Ｄ断面図
【図１７】図１６の腕板の位置替え状態図
【図１８】基材の取付部の他の実施例を示す断面図
【符号の説明】
【００５９】  Ａ・・・パチンコ台
Ｂ・・・下部取付装置
１・・・パチンコ島
６・・・装着枠
３８・・・基材
４６・・・取り付け部
４７・・・案内軸
４８・・・傾き調整螺子
５８・・・移動部材
６１・・・押し螺子
６４・・・案内壁
６８・・・揺動板
７０・・・押圧部
７２・・・長穴
７５・・・掛止部
７６・・・腕板
７７・・・支点軸
７９・・・前進規制部
８１・・・胴部
８２・・・枢支部
８３・・・係合部
８４・・・取り付け部
【図１】
2012005799.tif 000003
【図２】
2012005799.tif 000004
【図３】
2012005799.tif 000005
【図４】
2012005799.tif 000006
【図５】
2012005799.tif 000007
【図６】
2012005799.tif 000008
【図７】
2012005799.tif 000009
【図８】
2012005799.tif 000010
【図９】
2012005799.tif 000011
【図１０】
2012005799.tif 000012
【図１１】
2012005799.tif 000013
【図１２】
2012005799.tif 000014
【図１３】
2012005799.tif 000015
【図１４】
2012005799.tif 000016
【図１５】
2012005799.tif 000017
【図１６】
2012005799.tif 000018
【図１７】
2012005799.tif 000019
【図１８】
2012005799.tif 000020